(57)【要約】      （修正有）【課題】調整が完了した削り刃の位置を固定させ、緩むのを回避させることができる氷削機の構造を提供する。【解決手段】氷を載置させるための載置部及び氷を制御するための回転盤が設置され、載置部には穴部３１が設けられ、回転盤は制御部に連結され、これにより回転盤が制御されて載置部に向けて延伸されることで氷の制御を行う本体と、載置部の底面に設置され、穴部に隣接する台座４１と、削り刃４２と、調整部材とを含み、調整部材は台座に設置されると共に削り刃に連結され、調整部材が台座において移動され、削り刃が連動されて穴部に進出され、これにより削り刃が穴部に延出される距離の調整を行う氷削装置と、調整部材に対応されるように設置され、調整部材を台座における位置に固定させ、削り刃を定位させる位置決め部材とを備える。【選択図】図２
0003203269.tif 000002
【実用新案登録請求の範囲】
【請求項１】
氷を載置させるための載置部及び氷を制御するための回転盤が設置され、前記載置部には穴部が設けられ、前記回転盤は制御部に連結され、前記制御部により前記回転盤が制御されて前記載置部に向けて延伸されることで氷の制御を行う本体と、
前記載置部の底面に設置される氷削装置であって、前記氷削装置は前記穴部に隣接する台座と、削り刃と、調整部材とを含み、前記調整部材は前記台座に設置されると共に前記削り刃に連結され、前記調整部材は前記台座において移動され、前記削り刃が連動されて前記穴部に進出され、これにより前記削り刃が前記穴部に延出される距離の調整を行う氷削装置と、
前記調整部材に対応されるように設置される位置決め部材であって、前記位置決め部材により前記調整部材が前記台座における位置に固定されることで、前記削り刃が定位される位置決め部材とを備えることを特徴とする氷削機の構造。
【請求項２】
前記台座にはねじ穴が設けられ、前記調整部材はスクリューであり、前記スクリューは前記ねじ穴に可動に螺設されると共にその末端が前記削り刃に連結され、且つ前記スクリューが回転されることで前記削り刃が連動されることを特徴とする、請求項１に記載の氷削機の構造。
【請求項３】
前記スクリューの末端には大径及び小径が設けられ、前記削り刃には形状が上述の大径及び小径に対応される収容孔が設けられ、前記スクリューはその大径及び小径が対応されるように前記削り刃の収容孔に装設されることを特徴とする、請求項２に記載の氷削機の構造。
【請求項４】
前記載置部は平板状の切削台であることを特徴とする、請求項２または３に記載の氷削機の構造。
【請求項５】
前記位置決め部材は前記スクリューに設置される滑り止めナットであり、前記滑り止めナットが前記スクリューにおいて回転されることで変移されて前記台座に近接され、これにより前記スクリュー及び前記台座の相対位置が固定され、前記削り刃が定位されることを特徴とする、請求項４に記載の氷削機の構造。
【請求項６】
前記位置決め部材は前記台座に螺設される滑り止めネジであり、前記滑り止めネジは前記スクリューの一側に当接されることで前記スクリューと前記台座の相対位置が固定され、前記削り刃が定位されることを特徴とする、請求項４に記載の氷削機の構造。
【請求項７】
前記載置部はカップであることを特徴とする、請求項２または３に記載の氷削機の構造。
【請求項８】
前記位置決め部材は前記スクリューに設置される滑り止めナットであり、前記滑り止めナットが前記スクリューにおいて回転されることで変移されて前記台座に近接され、これにより前記スクリューと前記台座の相対位置が固定され、前記削り刃が定位されることを特徴とする、請求項７に記載の氷削機の構造。
【請求項９】
前記位置決め部材は前記台座に螺設される滑り止めネジであり、前記滑り止めネジが前記スクリューの一側に当接されることで前記スクリューと前記台座の相対位置が固定され、前記削り刃が定位されることを特徴とする、請求項７に記載の氷削機の構造。
【考案の詳細な説明】
【技術分野】
【０００１】
本考案は、氷削機の構造に関する。
【背景技術】
【０００２】
氷削機の削り刃は氷載置台の底部に設置されると共に氷に接触され、氷が回転盤により連動されて回転されることで削り刃により切削されてかき氷が形成される。いくつかの先進的な機種では、削り刃に調整装置が設置されており、これにより削り刃が氷載置台に延出される長さを調整させ、削り出されるかき氷の密度を変化させ、かき氷に異なる食感を形成させている。
【考案の概要】
【考案が解決しようとする課題】
【０００３】
しかしながら、前述した従来の氷削機の技術では、上述の調整装置を利用して削り刃を適当な位置に調整させた後に、削り刃の位置を固定させるための位置決め構造が無いため、氷削中に氷が削り刃に対して発生させる推力により削り刃が緩んでしまい、本来の位置から係脱し、削り出されるかき氷の品質が不安定になって食感に影響が及んだ。そこで、本考案者は上記の欠点が改善可能と考え、鋭意検討を重ねた結果、合理的設計で上記の課題を効果的に改善する本考案の氷削機の構造の提案に到った。
【０００４】
本考案は、このような従来の問題に鑑みてなされたものであり、その目的とするところは、氷削機の構造を提供することを主目的とする。即ち、削り刃の調整装置に位置決め部材が設置され、これにより調整が完了した削り刃の位置を固定させ、緩むのを回避させる効果を有する。
【課題を解決するための手段】
【０００５】
上述した課題を解決し、目的を達成するために、本考案に係る氷削機の構造は、氷を載置させるための載置部及び氷を制御するための回転盤が設置され、前記載置部には穴部が設けられ、前記回転盤は制御部に連結され、前記制御部により前記回転盤が制御されて前記載置部に向けて延伸されることで氷の制御を行う本体と、前記載置部の底面に設置される氷削装置であって、前記氷削装置は前記穴部に隣接される隣接する台座と、削り刃と、調整部材とで構成され調整部材とを含み、前記調整部材は前記台座に設置されると共に前記削り刃に連結され、前記調整部材は前記台座上で台座において移動され、前記削り刃が連動されて前記穴部に進出され、これにより前記削り刃が前記穴部に延出される距離の調整を行う氷削装置と、前記調整部材に対応されるように設置される位置決め部材であって、前記位置決め部材により前記調整部材が前記台座位置に固定され、前記削り刃が定位される位置決め部材とを備えることを特徴とする。
【図面の簡単な説明】
【０００６】
【図１】本考案の第１実施形態による氷削機の構造を示す平面の概略図である。
【図２】本考案の第１実施形態による氷削機の構造を示す展開図である。
【図３】本考案の第１実施形態による氷削機の構造を示す断面模式図である。
【図４】本考案の第２実施形態による氷削機の構造を示す平面の概略図である。
【図５】本考案の第２実施形態による氷削機の構造を示す展開図である。
【図６】本考案の第２実施形態による氷削機の構造を示す断面模式図である。
【図７】本考案の第３実施形態による氷削機の構造を示す平面の概略図である。
【図８】本考案の第３実施形態による氷削機の構造を示す展開図である。
【図９】本考案の第３実施形態による氷削機の構造を示す断面模式図である。
【図１０】本考案の第４実施形態による氷削機の構造を示す平面の概略図である。
【図１１】本考案の第４実施形態による氷削機の構造を示す展開図である。
【図１２】本考案の第４実施形態による氷削機の構造を示す断面模式図である。
【考案を実施するための形態】
【０００７】
以下に図面を参照して、本考案を実施するための形態について、詳細に説明する。なお、本考案は、以下に説明する実施形態に限定されるものではない。
実施形態
【０００８】
第１実施形態
本考案の氷削機の構造の第１実施形態（図１から図３参照）によると、氷を載置させるための載置部及び氷を制御するための回転盤２が設置される本体１を備える。本実施形態では、前記載置部は平板状の切削台３であり、氷が盤上に載置され、前記回転盤２は制御部２１に連結され、前記制御部２１を操作して前記回転盤２を制御させて前記切削台３に向けて延伸させることで氷の制御を行う。前記切削台３には穴部３１が設けられ、前記穴部３１の二側には位置限定溝３２がそれぞれ設けられ、前記切削台３の底面には前記穴部３１に延出される氷削装置が設置されると共に氷に接触され、これにより氷に対する切削を行う。
【０００９】
上述の氷削装置は前記穴部３１に隣接する台座４１と、削り刃４２と、調整部材とを備える。前記台座４１は前記切削台３に対して傾斜を呈する側面４１１を有し、前記削り刃４２は前記側面４１１に接近されて平らに貼付されると共に前記穴部３１に延入され、且つ前記削り刃４２の二側は前記位置限定溝３２内にそれぞれ延伸される。前記調整部材は本実施形態ではスクリュー４３であり、前記台座４１には前記側面４１１の斜度に対応されるねじ穴４１２が設けられ、前記スクリュー４３はその中に可動に螺設される。前記スクリュー４３の末端には大径４３１及び小径４３２が設けられ、前記削り刃４２には収容孔４２１が設けられる。前記収容孔４２１は前記スクリュー４３の大径４３１及び小径４３２に対応される形状に形成され、前記スクリュー４３は大径４３１及び小径４３２により前記削り刃４２の収容孔４２１に装設され、これにより前記スクリュー４３及び前記削り刃４２が結合される。
【００１０】
上述の構造により、前記スクリュー４３が回転されると前記ねじ穴４１２との螺旋作用により前記台座４１に対して変移され、前記削り刃４２が押動されて移動されることで、前記削り刃４２が前記穴部３１に延出されるか或いは前記穴部３１から後退し、これにより前記削り刃４２が前記穴部３１に延出される距離の調整を行う。よって、氷が前記削り刃４２により切削されることで形成されるかき氷の密度が変化し、異なる食感が得られる。
【００１１】
このほか、前記スクリュー４３には前記スクリュー４３を固定させるための位置決め部材が設置される。本実施形態によれば、前記位置決め部材は滑り止めナット５であり、前記スクリュー４３の前記ねじ穴４１２の外に露出される部分に設置される。前記滑り止めナット５が回転されると前記スクリュー４３に沿って前記台座４１に接近され、且つ前記台座４１に当接された後に前記台座４１に近接される効果により、前記スクリュー４３が固定され、前記スクリュー４３が前記台座４１に対して移動されなくなり、前記削り刃４２が定位され、前記削り刃４２の前記穴部３１に延出される距離が固定され、切削されて形成されるかき氷の品質が維持される。
【００１２】
第２実施形態
本考案の第２実施形態の構成を図４から図６に示す。本実施形態の前述の第１実施形態との差異は、前記載置部の構造にある。本実施形態では、前記載置部はカップ６であり、前記カップ６には氷が収容され、氷が汚染されないように前記カップ６により保護される。本実施形態においては、前記穴部３１は前記カップ６の底部に設けられ、前記氷削装置及び前記滑り止めナット５は前記カップ６の底部に設置され、その作用は前述の第１実施形態と同じであり、同様に前記削り刃４２を定位させてかき氷の品質を維持させる効果を発生させる。
【００１３】
第３実施形態
本考案の第３実施形態の構成を図７から図９に示す。本実施形態は前記本体１及び前記氷削装置の部分に関しては前述の第１実施形態と同じであり、前述の第１実施形態との差異は、前記位置決め部材の構造にある。本実施形態では、前記位置決め部材は滑り止めネジ７である。前記台座４１には第二ねじ穴４１３が設けられ、前記スクリュー４３にあるねじ穴４１２と互いに垂直になると共に連通され、前記滑り止めネジ７が前記第二ねじ穴４１３に螺設され、且つ前記スクリュー４３の一側に当接される。これにより、前記滑り止めネジ７が前記スクリュー４３に近接されることで、前記スクリュー４３及び前記台座４１の相対位置が固定され、前記スクリュー４３が前記台座４１に対して移動されなくなり、前記削り刃４２が定位され、前記削り刃４２の前記穴部３１に延出される距離が固定され、切削されて形成されるかき氷の品質が維持される。
【００１４】
第４実施形態
本考案の第４実施形態の構成を図１０から図１２に示す。本実施形態の前述の第３実施形態との差異は、前記載置部の構造にある。本実施形態では、前記載置部はカップ６であり、前記カップ６には氷が収納され、氷が汚染されないように前記カップ６により保護される。本実施形態においては、前記穴部３１は前記カップ６の底部に設けられ、前記氷削装置及び前記滑り止めネジ７は前記カップ６の底部に設置され、その作用は前述の第３実施形態と同じであり、同様に前記削り刃４２を定位させてかき氷の品質を維持させる効果を発生させる。
【００１５】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１６】
１  本体
２  回転盤
２１  制御部
３  切削台
３１  穴部
３２  位置限定溝
４１  台座
４１１  側面
４１２  ねじ穴
４１３  第二ねじ穴
４２  削り刃
４２１  収容孔
４３  スクリュー
４３１  大径
４３２  小径
５  滑り止めナット
６  カップ
７  滑り止めネジ
【図１】
0003203269.tif 000003
【図２】
0003203269.tif 000004
【図３】
0003203269.tif 000005
【図４】
0003203269.tif 000006
【図５】
0003203269.tif 000007
【図６】
0003203269.tif 000008
【図７】
0003203269.tif 000009
【図８】
0003203269.tif 000010
【図９】
0003203269.tif 000011
【図１０】
0003203269.tif 000012
【図１１】
0003203269.tif 000013
【図１２】
0003203269.tif 000014